【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
第１空間へ延びる第１通風路と、前記第１空間と異なる第２空間へ延びる第２通風路と、に対して空気を送出する空気調和機の消費電力を表す情報を取得する電力情報取得部と、
前記第１通風路から前記第１空間へ流入した空気の量である第１流入量を表す情報と、前記第２通風路から前記第２空間へ流入した空気の量である第２流入量を表す情報と、を取得する流入量情報取得部と、
前記第１通風路から前記第１空間へ流入した空気の温度である第１温度を表す情報と、前記第２通風路から前記第２空間へ流入した空気の温度である第２温度を表す情報と、を取得する温度情報取得部と、
前記第１流入量と前記第１温度とに基づいて、前記空気調和機が前記第１通風路へ送出した空気の量である第１送出量を特定し、前記第２流入量と前記第２温度とに基づいて、前記空気調和機が前記第２通風路へ送出した空気の量である第２送出量を特定する送出量特定部と、
前記第１送出量と前記第２送出量とに基づいて前記空気調和機の消費電力を按分することで、前記第１空間の空気を調和するために前記空気調和機が消費した電力である第１消費電力と、前記第２空間の空気を調和するために前記空気調和機が消費した電力である第２消費電力と、を特定する消費電力特定部と、を備える、
消費電力特定装置。
【請求項２】
前記第１通風路から前記第１空間へ流入した空気の温度である前記第１温度と、前記第１通風路に送出された空気の温度である基準温度と、の温度差である第１温度差に基づいて、前記第１通風路から流入した空気の量である前記第１流入量に対する、前記第１通風路に送出された空気の量である前記第１送出量の割合を表す第１割合変数、及び、前記第２通風路から前記第２空間へ流入した空気の温度である前記第２温度と、前記第２通風路に送出された空気の温度でもある前記基準温度と、の温度差である第２温度差に基づいて、前記第２流入量に対する前記第２送出量の割合を表す第２割合変数、を特定するために用いられる特定関数を記憶する情報記憶部、をさらに備え、
前記送出量特定部は、前記第１温度差を前記特定関数に用いることで前記第１割合変数を特定し、前記第１割合変数と前記第１流入量とに基づいて前記第１送出量を特定し、前記第２温度差を前記特定関数に用いることで前記第２割合変数を特定し、前記第２割合変数と前記第２流入量とに基づいて前記第２送出量を特定する、
請求項１に記載の消費電力特定装置。
【請求項３】
前記送出量特定部は、前記空気調和機が暖房運転している場合、前記第１通風路から流入した空気の温度である前記第１温度が、前記第１通風路に送出された空気の温度である前記基準温度以上であれば、前記特定関数を用いて、前記第１通風路から流入した空気の前記第１流入量と、前記第１通風路に送出された空気の前記第１送出量と、が等しい量であることを表す等割合変数を、前記第１割合変数として特定する、
請求項２に記載の消費電力特定装置。
【請求項４】
前記送出量特定部は、前記空気調和機が暖房運転している場合、前記第１温度が、前記第１通風路の外の空気の温度である外部温度以下であれば、前記特定関数を用いて、前記第１通風路に対する空気の送出が停止していることを表す停止時割合変数を、前記第１割合変数として特定する、
請求項３に記載の消費電力特定装置。
【請求項５】
前記送出量特定部は、前記空気調和機が暖房運転している場合、前記第１温度が前記外部温度よりも高く、かつ、前記基準温度よりも低ければ、前記特定関数を用いて、前記第１温度が前記外部温度であるときに用いられる前記停止時割合変数と、前記第１温度が前記基準温度であるときに用いられる前記等割合変数と、を補間した変数を、前記第１割合変数として特定する、
請求項４に記載の消費電力特定装置。
【請求項６】
前記送出量特定部は、前記空気調和機が冷房運転をしている場合、前記第１温度が前記基準温度以下であれば、前記特定関数を用いて、前記等割合変数を前記第１割合変数として特定する、
請求項４又は５に記載の消費電力特定装置。
【請求項７】
前記送出量特定部は、前記空気調和機が冷房運転をしている場合、前記第１温度が前記外部温度以上であれば、前記特定関数を用いて、前記停止時割合変数を前記第１割合変数として特定する、
請求項６に記載の消費電力特定装置。
【請求項８】
前記送出量特定部は、前記空気調和機が冷房運転をしている場合、前記第１温度が前記基準温度よりも高く、かつ、前記外部温度よりも低ければ、前記特定関数を用いて、前記第１温度が前記外部温度であるときに用いられる前記停止時割合変数と、前記第１温度が前記基準温度であるときに用いられる前記等割合変数と、を補間した変数を、前記第１割合変数として特定する、
請求項７に記載の消費電力特定装置。
【請求項９】
前記消費電力特定部が特定した前記第１消費電力に基づいて、前記第１空間の空気を調和するために前記空気調和機が消費した電力量である第１消費電力量を特定し、前記第２消費電力に基づいて、前記第２空間の空気を調和するために前記空気調和機が消費した電力量である第２消費電力量を特定する消費電力量特定部と、
前記消費電力量特定部で特定された前記第１消費電力量を表す情報と、前記第２消費電力量を表す情報と、を出力する情報出力部と、をさらに備える、
請求項１から８のいずれか一項に記載の消費電力特定装置。
【請求項１０】
前記流入量情報取得部が取得する前記情報によって表される前記第１流入量は、前記第１通風路の開口である第１吹出口を通過して前記第１空間に吹き出された空気の量であり、前記第２流入量は、前記第２通風路の開口である第２吹出口を通過して前記第２空間に吹き出された空気の量であり、
前記第１吹出口と前記第２吹出口とをそれぞれ通過する空気の量は、前記第１吹出口と前記第２吹出口とにそれぞれ設けられた流量調整バルブの開度の変更によって制御される、
請求項１から９のいずれか一項に記載の消費電力特定装置。
【請求項１１】
第１空間へ延びる第１通風路と、前記第１空間と異なる第２空間へ延びる第２通風路と、に対して空気を送出する空気調和機の消費電力を表す情報を取得する電力情報取得部と、
前記第１通風路から前記第１空間へ流入した空気の量である第１流入量を測定する第１流入量測定部と、
前記第２通風路から前記第２空間へ流入した空気の量である第２流入量を測定する第２流入量測定部と、
前記第１通風路から前記第１空間へ流入した空気の温度である第１温度を測定する第１温度測定部と、
前記第２通風路から前記第２空間へ流入した空気の温度である第２温度を測定する第２温度測定部と、
前記第１流入量と前記第１温度とに基づいて、前記空気調和機が前記第１通風路へ送出した空気の量である第１送出量を特定し、前記第２流入量と前記第２温度とに基づいて、前記空気調和機が前記第２通風路へ送出した空気の量である第２送出量を特定する送出量特定部と、
前記第１送出量と前記第２送出量とに基づいて前記空気調和機の消費電力を按分することで、前記第１空間の空気を調和するために前記空気調和機が消費した電力である第１消費電力と、前記第２空間の空気を調和するために前記空気調和機が消費した電力である第２消費電力と、を特定する消費電力特定部と、を備える、
消費電力特定システム。
【請求項１２】
前記消費電力特定部が特定した前記第１消費電力に基づいて、前記第１空間の空気を調和するために前記空気調和機が消費した電力量である第１消費電力量を特定し、前記第２消費電力に基づいて、前記第２空間の空気を調和するために前記空気調和機が消費した電力量である第２消費電力量を特定する消費電力量特定部と、
前記消費電力量特定部で特定された前記第１消費電力量を表す情報と、前記第２消費電力量を表す情報と、を出力する情報出力部と、をさらに備える、
請求項１１に記載の消費電力特定システム。
【請求項１３】
前記第１空間は、前記空気調和機が接続された分電盤を介して供給された電力量に対して料金を支払う契約を結んだ契約者によって使用されており、
前記第２空間は、前記契約者と異なる者によって使用されており、
前記分電盤を介して供給された前記電力量から、前記第２空間の空気を調和するために消費された前記第２消費電力量を控除された電力量に基づいて料金を計算し、前記計算した料金を前記契約者に課金する課金部、をさらに備える、
請求項１２に記載の消費電力特定システム。
【請求項１４】
コンピュータを、
第１空間へ延びる第１通風路と、前記第１空間と異なる第２空間へ延びる第２通風路と、に対して空気を送出する空気調和機の消費電力を表す情報を取得する電力情報取得部、
前記第１通風路から前記第１空間へ流入した空気の量である第１流入量を表す情報と、前記第２通風路から前記第２空間へ流入した空気の量である第２流入量を表す情報と、を取得する流入量情報取得部、
前記第１通風路から前記第１空間へ流入した空気の温度である第１温度を表す情報と、前記第２通風路から前記第２空間へ流入した空気の温度である第２温度を表す情報と、を取得する温度情報取得部、
前記第１流入量と前記第１温度とに基づいて、前記空気調和機が前記第１通風路へ送出した空気の量である第１送出量を特定し、前記第２流入量と前記第２温度とに基づいて、前記空気調和機が前記第２通風路へ送出した空気の量である第２送出量を特定する送出量特定部、
前記第１送出量と前記第２送出量とに基づいて前記空気調和機の消費電力を按分することで、前記第１空間の空気を調和するために前記空気調和機が消費した電力である第１消費電力と、前記第２空間の空気を調和するために前記空気調和機が消費した電力である第２消費電力と、を特定する消費電力特定部、として機能させる、
消費電力特定プログラム。